(57)【要約】    【課題】  モバイル端末ユーザーの管理下で、バッテリー充電を管理する方法および装置を提案する。    【解決手段】  バッテリーの充電レベルの監視を含む少なくとも一台のモバイル端末によるデータ転送方法であって、充電レベルをあらわすパラメータの電流値ＮＣを測定するステップＥ１０２と、当該電流値ＮＣを予め定められた閾値Ｔｈと比較するステップＥ１０３と、電流値ＮＣが閾値Ｔｈよりも小さいか等しいと共に、警告を行なうステップＥ１０８に続いて、モバイル端末のユーザーにより、ここでの設定のステップを実行するための同意が与えられている場合に、モバイル端末をエコノミー動作モードに設定するステップＥ１１０と、を含んでいる。【選択図】  図１
2005333641.tif 000002
【特許請求の範囲】
【請求項１】
少なくとも一台のモバイル端末によるデータ転送方法であって、この方法はモバイル端末バッテリーの充電レベルの監視を含んでおり、
前記充電レベルをあらわすパラメータである電流値を測定するステップと、
測定された前記電流値を予め定められた閾値と比較するステップと、
前記電流値が前記閾値よりも小さいか等しいと共に、警告を実行するステップに続いて、前記モバイル端末のユーザーにより、ここでの設定のステップを実行するための同意が与えられている場合に、前記モバイル端末を予め定義されたエコノミー動作モードに設定するステップと、
からなることを特徴とするデータ伝送方法。
【請求項２】
前記エコノミー動作モードを定義するための設定データを事前に読込むステップを含むことを特徴とする請求項１記載のデータ転送方法。
【請求項３】
前記エコノミー動作モードに設定するステップに先立って、前記モバイル端末が実行されようとする状態に置かれたアクティブ動作モードを確認するステップをさらに含むことを特徴とする請求項１または２記載のデータ転送方法。
【請求項４】
前記警告を実行するステップは、バッテリーの充電レベルが低く、且つ動作モードの変更が可能なことをユーザーに知らせるために、ユーザーへの注意用に発せられた少なくとも１回の警告刺激からなることに基づき、この警告を実行するステップが、前記エコノミー動作モードに設定するステップに先立って実行されようとすることを特徴とする請求項１〜３のいずれか一つに記載のデータ転送方法。
【請求項５】
少なくとも１回の警告刺激が実際に発せられたことの確認を与えようとする警告確認のステップをさらに含み、この警告確認のステップは、前記エコノミー動作モードに設定するステップに先立って実行されようとすることを特徴とする請求項４記載のデータ転送方法。
【請求項６】
モバイル端末バッテリーの充電レベルのデータ転送装置であって、
前記充電レベルをあらわすパラメータである電流値を測定する測定手段と、
測定された前記電流値を予め定められた閾値と比較する比較手段と、
前記電流値が前記閾値よりも小さいか等しいと共に、警告手段が実行するのに続いて、前記モバイル端末のユーザーにより、ここでの設定手段を利用するための同意が与えられている場合に、前記モバイル端末を予め定義されたエコノミー動作モードに設定する設定手段と、
を備えたことを特徴とするデータ伝送装置。
【請求項７】
前記エコノミー動作モードを定義するための設定データを先行して読込む読込み手段を備えたことを特徴とする請求項６記載のデータ転送装置。
【請求項８】
前記設定手段を利用するのに先立って、前記モバイル端末が動作されようとする状態に置かれたアクティブ動作モードを確認する確認手段をさらに備えたことを特徴とする請求項６または７記載のデータ転送装置。
【請求項９】
前記警告手段は、バッテリーの充電レベルが低く、且つ動作モードの変更が可能なことをユーザーに知らせるために、ユーザーへの注意用に少なくとも１回の警告刺激を発する手段からなることに基づき、この警告手段が、前記設定手段に先立って動作されようとするものであることを特徴とする請求項６〜８のいずれか一つに記載のデータ転送装置。
【請求項１０】
少なくとも１回の警告刺激が実際に発せられたことの確認を与えようとする警告確認手段をさらに備え、この警告確認手段は、前記設定手段に先立って動作されようとするものであることを特徴とする請求項９記載のデータ転送装置。
【発明の詳細な説明】
【技術分野】
【０００１】
本発明は、少なくとも一台のモバイル端末によるデータ転送方法およびデータ伝送装置に関し、当該方法および装置はモバイル端末バッテリーの充電レベルの監視を含んでいる。
【背景技術】
【０００２】
モバイル端末バッテリーの寿命を延長しようとする方法は、以下に述べる非特許文献１や非特許文献２に開示されている。
【０００３】
非特許文献１において、オリビエ  センティエイ氏は、携帯型の機器であればあるほど、バッテリー充電がより速く消費されると共に、そうした現象が増大することを報告している。同氏は、モバイル端末の一部のパラメータ変えること、より具体的には供給電圧，有効キャパシティおよびクロック周波数を下げることで、こうした消費を低減することを提案している。
【０００４】
非特許文献２において、各著者は、オンボードのモバイル端末における各アプリケーションが、それらと関連付けられたハードウェアツールよりもより速く開発されており、この開発の差がバッテリーにおける過熱の諸問題源になっていると共に、モバイル端末の寿命を制限していると報告している。それゆえ各著者は、例えば「スタンバイ（待機）」モードを利用して、モバイル端末のエネルギー消費を管理したり、実行されるべきソフトウェアタスクに関連して、こうした端末の供給電圧および／または動作周波数を適合させるために、モバイル端末における様々なアプリケーションに様々な状態を用いることを提案している。
【非特許文献１】オリビエ  センティエイ（Olivier Sentieys）著，オンボード電子機器におけるエネルギー消費の低減（Reduction of energy consumption in on board electronics），ＥＮＳＳＡＴ−レーヌ大学  ＬＡＳＴＩ−信号アーキテクチャグループ
【非特許文献２】エス．ピニョーロ，イー．マーティン，エヌ．ジュリエ，イー．セン，ビー．サゲット（S.Pignolo， E.Martin，N.Julien，E.Senn，B.Saget）著，ＤＳＰでアプリケーションおよびイメージを処理する信号のエネルギー消費の最適化（Optimisation of the energy consumption of signal processing applications and image on DSP）
【発明の開示】
【発明が解決しようとする課題】
【０００５】
上述の各非特許文献は、モバイル端末の様々な構成要素によって消費されるエネルギーを低減する方法、若しくはそうしたエネルギー消費を最適化する方法を記述している。
【０００６】
これらの各方法は、モバイル端末によって消費されるエネルギーのプログラム管理が可能になるだけで、危機的な使用の閾値を超えると、モバイル端末の利用がすぐに不可能になるのを素早く見つけられるユーザーの要求を考慮することができない。
【０００７】
本発明の目的の一つは、モバイル端末ユーザーの管理下で、当該モバイル端末におけるバッテリー充電を管理する方法および装置を提案することにある。
【課題を解決するための手段】
【０００８】
本発明は、モバイル端末バッテリーの充電レベルの監視を含んだモバイル端末によるデータ転送方法を提案するもので、前記充電レベルをあらわすパラメータである電流値を測定するステップと、測定された前記電流値を予め定められた閾値と比較するステップと、前記電流値が前記閾値よりも小さいか等しい場合に、前記モバイル端末を予め定義されたエコノミー動作モードに設定するステップと、を含んでいる。
【０００９】
本発明に基づく方法では、バッテリーに幾らか残っている少ない寿命を、モバイル端末のユーザーに通告することが可能になると共に、これにより残っているバッテリーの充電を素早く利用するか、或いは残っているバッテリーのエネルギーをできる限り長く持たせるように節約化（エコノミー化）して、モバイル端末のユーザーがバッテリー寿命を管理することが可能になる。
【００１０】
本発明における第１の実施形態によれば、ここでの方法は、前記エコノミー動作モードを定義するための設定データを事前に読込むステップをさらに含んでいる。
【００１１】
本発明における第２の実施形態によれば、ここでの方法は、前記エコノミー動作モードに設定するステップに先立って、前記モバイル端末が実行されようとする状態に置かれたアクティブ動作モードを確認するステップをさらに含んでいる。
【００１２】
このアクティブ動作モードを確認するステップは、端末バッテリーの充電レベルに適合する端末の機能を、ユーザーに対して確かなものとする。
【００１３】
本発明における第３の実施形態によれば、ここでの方法は警告ステップをさらに含んでおり、当該警告ステップは、バッテリーの充電レベルが低く、且つ動作モードに変更できることをユーザーに知らせるために、ユーザーへの注意用に少なくとも１回の警告刺激が期間中に発せられると共に、この警告ステップが、前記エコノミー動作モードに設定するステップに先立って実行されようとしている。
【００１４】
ユーザーの警告ステップは、バッテリーの充電レベルが低いことをユーザーに警告するもので、これにより当該ユーザーは、アクティブ動作モードのままとし、モバイル端末の全機能および全サービスを有効とするか、或いは端末をエコノミー動作モードに設定することにより、動作寿命を延ばし、一定の機能やサービスをアクセスできないようにすることができる。
【００１５】
本発明における第４の実施形態によれば、ここでの方法は、少なくとも１回の警告刺激が実際に発せられたことの確認を与えようとする警告確認のステップをさらに含み、この警告確認のステップは、前記エコノミー動作モードに設定するステップに先立って実行されようとしている。
【００１６】
警告確認のステップは、モバイル端末の動作モードが、ユーザーによってそれとなくではあっても、実際に選ばれるであろうことを確実なものとする。
【００１７】
本発明は、少なくとも一台のモバイル端末によるデータ転送装置であって、この装置はモバイル端末バッテリーの充電レベルの監視を含んでおり、前記充電レベルをあらわすパラメータである電流値を測定する測定手段と、測定された前記電流値を予め定められた閾値と比較する比較手段と、前記電流値が前記閾値よりも小さいか等しい場合に、前記モバイル端末を予め定義されたエコノミー動作モードに設定する設定手段と、を備えている。
【００１８】
本発明における第１の実施形態によれば、ここでの装置は、前記エコノミー動作モードを定義するための設定データを先行して読込む読込み手段をさらに備えている。
【００１９】
本発明における第２の実施形態によれば、ここでの装置は、前記設定手段を利用するのに先立って、前記モバイル端末が動作されようとする状態に置かれたアクティブ動作モードを確認する確認手段をさらに備えている。
【００２０】
本発明における第３の実施形態によれば、ここでの装置は、バッテリーの充電レベルが低く、且つ動作モードの変更が可能なことをユーザーに知らせるために、ユーザーへの注意用に少なくとも１回の警告刺激を発する警告手段をさらに備え、この警告手段が、前記設定手段に先立って動作されようとしている。
【００２１】
本発明における第４の実施形態によれば、ここでの装置は、少なくとも１回の警告刺激が実際に発せられたことの確認を与えようとする警告確認手段をさらに備え、この警告確認手段は、前記設定手段に先立って動作されようとしている。
【００２２】
上述した本発明の特徴は、他の特徴と同じく、以下に続く実施例の記述によってより明確になるであろう。当該実施例の記述は、添付図面と関連して与えられる。
【発明の効果】
【００２３】
本発明によれば、モバイル端末ユーザーの管理下で、当該モバイル端末におけるバッテリー充電を管理する方法および装置を提案できる。
【発明を実施するための最良の形態】
【００２４】
以下、本発明の好ましい実施形態を、添付図面を参照しながら説明する。  本発明は、モバイル端末バッテリーの充電レベルのデータ伝送方法に関する。こうしたモバイル端末は、例えば携帯電話，ポータブルコンピュータ，携帯情報端末などからなる。とりわけ本発明の実施形態では、使用されるモバイル端末が、「Windows CE」のオペレーティングシステム（ＯＳ）を用いた「Smartphone」型の電話機となっている（「Windows CE」並びに「Smartphone」なる用語は当業者において知られており、登録商標としての保護を受けている）。
【００２５】
モバイル端末バッテリーの充電レベルは、再充電されなければならない前のバッテリーによって与えられる寿命に関連付けられる。そのため、ここを下回るとバッテリーがもはや端末を正しく機能させることができないような値に考慮された閾値に、バッテリーの充電レベルが近づくと、当該端末は、できるだけ電圧の供給を受けないエコノミーな動作モードに設定することができる。
【００２６】
図１に示した本発明に基づく方法では、端末バッテリーの充電レベルが次のような手順で監視される。モバイル端末は、このモバイル端末の電源投入に対応する初期設定ステップＥ１００の間に、例えば端末が以前に電源オフされた時点で端末が置かれていたいわゆる初期動作モードに設定される。次の記憶ステップＥ１０１の間、前記モバイル端末は、エコノミー動作モードとして参照される動作モードを定義するプロファイルを記憶する。このエコノミー動作モードは、ユーザーに対し必要不可欠なものと考えられる機能だけが動作し、それ以外の機能は禁止するようにパラメータ化されたモードである。通常の習慣的な動作モードとなるように考えられた公称の動作モードで、機能１〜５とサービス１〜５が動作するならば、エコノミー動作モードは例えば機能１，２，４とサービス２，５だけを動作させ、他の機能３，５やサービス１，３，４は動作させないように用意することができる。
【００２７】
特に本実施形態では、２つのエコノミー動作モードが与えられる。第１のエコノミー動作モードは、デフォルト（初期）の動作モードである。このデフォルトのエコノミー動作モードでは、端末の最小限の機能だけを可能とするように、モバイル端末の持つ各機能およびサービスがパラメータ化される。そのため携帯電話では、電話およびメッセージの送受信に各機能やサービスが減らされるであろう。とりわけ本実施形態において、当該デフォルトのエコノミー動作モードで動作しないサービスや機能は、例えばスクリーンセーバーや、背景の照明や、キーパッドの動作音や、呼出しのオプションや、スピーカーや、聞き取りの音量や、マルチメディアの各種ゲームおよびサービスなどである。
【００２８】
第２の動作モードは、パーソナル化できる動作モードである。このパーソナル化動作モードでは、動作する機能やサービスをユーザーが選択する。例えば携帯電話において、電話またはメッセージの送信或いは受信に必要なサービス以外のディレクトリではあるが、電話の機能やサービスに加えて、ユーザーがこのディレクトリを動作させるのを選択できる。したがってユーザーは、自身がエコノミー動作モードとして端末で利用させたい動作モードを選択できる。
【００２９】
実行可能な各エコノミー動作モードのそれぞれにおいて、最大限の範囲に消費を低減するように、動作する機能およびサービスがさらに設定される。加えて、このエコノミー動作モードでは、端末の電源オフ設定となる前に、残りの利用可能時間を表示するための供給が、モバイル端末に対してなされる。
【００３０】
特に本実施態様では、モバイル端末のレジスタベースに永久的に記録されたパラメータファイルに、デフォルトのエコノミー動作モードやパーソナル化動作モードの機能やサービスがリスト（一覧化）される。このパラメータファイルにおける機能やサービスの状態は、端末インターフェースによって簡単に変更できる。
【００３１】
測定ステップＥ１０２の間、モバイル端末は充電レベルを示すパラメータである電流値ＮＣを測定することによって、バッテリーの充電レベルを更新する。当該充電レベルの更新によって、モバイル端末の残存寿命を予想することが可能になる。
【００３２】
こうして測定された充電レベルとなる電流値ＮＣは、比較ステップＥ１０３の間に予め定められた閾値Ｔｈと比較される。この閾値Ｔｈは、殆ど零に近い危機的な閾値の区間で与えられる。閾値Ｔｈは、対応するバッテリーの充電量が、与えられた期間中にエコノミー動作モードを提供できるように選ばれる。比較ステップＥ１０３の終わりに、充電レベルである電流値ＮＣが、閾値ｔｈよりも大きいか或いは等しければ、第１の確認ステップＥ１０４を続行する。逆に充電レベルである電流値ＮＣが、閾値Ｔｈよりも小さければ、第２の確認ステップＥ１０６を続行する。
【００３３】
前記第１の確認ステップＥ１０４の間は、アクティブ動作モードが確認される。このアクティブ動作モードがエコノミー動作モードでなければ、換言すると、例えば動作モードが前述した公称動作モードであれば、本方法はアクティブ動作モードを実行することなく、測定ステップＥ１０２に戻す準備を行なう。一方、アクティブ動作モードがエコノミー動作モードであり、充電レベルである電流値ＮＣが、不必要に制限された動作モードを正しいものとみなさないならば、設定ステップＥ１０５の間に、端末は公称動作モードに設定される。そして本方法は、アクティブ動作モードを実行することなく、測定ステップＥ１０２に戻す準備を行なう。
【００３４】
前記第２の確認ステップＥ１０６の間も、同様にアクティブ動作モードが確認される。アクティブ動作モードがエコノミー動作モードであれば、本方法は何か他の動作を行なうことなく、測定ステップＥ１０２に戻す準備を行なう。一方、アクティブ動作モードがエコノミー動作モードでなければ、本方法は確認ステップＥ１０７の間に、バッテリーの充電レベルが低いことに関して、ユーザーが警告されているのか否かのチェックを行なう。仮にユーザーが既に警告されているならば、本方法は何か他の動作を行なうことなく、測定ステップＥ１０２に戻す準備を行なう。逆にユーザーがまだ警告されていなければ、警告ステップＥ１０８の間に、バッテリーの充電レベルが低く、且つ動作モードの変更が可能なことをユーザーに知らせるために、刺激の形態をなす警告がモバイル端末によってユーザーに送り出される。この刺激は、例えば光信号やメッセージなどであってもよい。ステップＥ１０９で、エコノミー動作モードへの変更をユーザーが決定した場合には、このエコノミー動作モードがアクティブ動作モードになる（ステップＥ１１０）。仮にユーザーが動作モードの変更を受け入れなければ、端末は公称動作モードに維持される。その後で本方法は、どのように動作モードが選ばれたとしても、端末が電源オフされる前に、バッテリーに残っている充電値をユーザーに知らせ続けることができるように、測定ステップＥ１０２に戻す準備を行なう。
【００３５】
一般的に、本方法は好ましくは、端末の一般的な機能で極力干渉しないようにする必要がある。
【００３６】
図２に示すように、本発明におけるデータ伝送方法は、端末ＴＥＲに備えたデータ送信装置によって好ましくは実行される。本発明におけるこの実施形態では、データ伝送装置の機能が中央処理ユニットＣＰＵを制御するオペレーティングシステムＯＳにより管理され、当該中央処理ユニットＣＰＵは、モバイル端末ＴＥＲに外付けまたは内蔵して備えたメモリＭＥＭに永久的に記録される。オペレーティングシステムＯＳの制御下で、中央処理ユニットＣＰＵは、測定手段ＭＭＮＣと、比較手段ＭＣＰと、確認手段ＭＩＤと、警告確認手段ＭＶＡと、警告手段ＭＡと、設定手段ＭＣＯＮＦの動作状態と非動作状態とを、各動作信号ＥＮＭ，ＥＮＣ，ＥＮＩ，ＥＮＶ，ＥＮＡ，ＥＮＯによってそれぞれ制御しようとしている。
【００３７】
このような装置は、バッテリーＢＡＴの充電レベルを示すパラメータとしての電流値ＮＣを測定する手段ＭＭＮＣを備えている。当該測定手段ＭＭＮＣは、例えばバッテリーＢＡＴによって与えられる電圧を測定でき、この電圧の瞬時値は電流値ＮＣを生成する。この電流値ＮＣは、予め定義された閾値Ｔｈと比較手段ＭＣＰによって比較される。当該比較手段ＭＣＰは、その値が比較の結果をあらわす比較信号ＲＣＰを出力しようとする例えばオペアンプで構成できる。比較信号ＲＣＰは、当該比較信号ＲＣＰがどのような値であっても、端末のアクティブ動作モードを決定できる確認手段ＭＩＤで受け入れられる。
【００３８】
仮に、前回の決定の終わりに、アクティブ動作モードがエコノミー動作モードであり、加えて電流値ＮＣが閾値Ｔｈよりも大きいことを確認手段ＭＩＤが示せば、公称動作モードに端末を設定するのに設定手段ＭＣＯＮＦが提供される。当該設定手段ＭＣＯＮＦは、各動作モード、とりわけ設定データ読込み手段ＭＣによって与えられる各エコノミー動作モードの設定に必要なデータを記憶するのに提供されたレジスタベースＢＲと、通信を行なうものである。
【００３９】
仮に電流値ＮＣが閾値Ｔｈよりも大きいものの、アクティブ動作モードがエコノミー動作モードでなければ、どの手段も動作しない。逆に、電流値ＮＣが閾値Ｔｈよりも小さく、アクティブ動作モードがエコノミー動作モードであれば、どの手段も動作しない。他方、電流値ＮＣが閾値Ｔｈよりも小さく、アクティブ動作モードがエコノミー動作モードでなければ、警告確認手段ＭＶＡが動作状態となる。ここで警告が既に与えられていれば、どの手段もその後は動作しないが、警告が与えられていなければ、警告確認手段ＭＶＡが警告手段ＭＡを動作させる。当該警告手段ＭＡは、バッテリーＢＡＴが低い充電レベルの電流値ＮＣであり、しかもエコノミー動作モードへの設定を端末に提案若しくは示唆することを、端末のユーザーに警告するのに設けられている。
【００４０】
ユーザーが端末の設定をエコノミー動作モードに決めると、警告手段ＭＡは設定手段ＭＣＯＮＦを動作させ、予め定義されたエコノミー動作モードに端末を設定する。仮にユーザーがアクティブ動作モードをそのままにする選択を行なうと、結果的にどの手段も動作しない。
【００４１】
以上のように、本発明のデータ転送方法は少なくとも一台のモバイル端末により、このモバイル端末バッテリーの充電レベルの監視を含んでいる。そして、充電レベルをあらわすパラメータである電流値ＮＣを測定するステップＥ１０２と、測定された電流値ＮＣを予め定められた閾値Ｔｈと比較するステップＥ１０３と、電流値ＮＣが閾値Ｔｈよりも小さいか等しいと共に、警告を行なうステップＥ１０８に続いて、モバイル端末のユーザーにより、ここでの設定のステップＥ１１０を実行するための同意が与えられている場合に、モバイル端末を予め定義されたエコノミー動作モードに設定するステップＥ１１０と、を含んでいる。
【００４２】
また、本発明のデータ伝送装置は、モバイル端末バッテリーＢＡＴの充電レベルの監視を含むものであって、充電レベルをあらわすパラメータである電流値ＮＣを測定する測定手段ＭＭＮＣと、測定された電流値ＮＣを予め定められた閾値Ｔｈと比較する比較手段ＭＣＰと、電流値ＮＣが閾値Ｔｈよりも小さいか等しいと共に、警告手段ＭＡが動作するのに続いて、モバイル端末のユーザーにより、ここでの設定手段ＭＣＯＮＦを利用するための同意が与えられている場合に、モバイル端末を予め定義されたエコノミー動作モードに設定する設定手段ＭＣＯＮＦとを備えている。
【００４３】
こうした方法や装置によれば、バッテリーＢＡＴに幾らか残っている少ない寿命を、モバイル端末のユーザーに通告することが可能になると共に、これにより残っているバッテリーＢＡＴの充電を素早く利用するか、或いは残っているバッテリーのエネルギーをできる限り長く持たせるようにエコノミー動作モードに設定して、モバイル端末のユーザーがバッテリー寿命を管理することが可能になる。
【００４４】
なお、本発明は上記実施例に限定されるものではなく、当業者が考えに及ぶ種々のあらゆる変更が可能である。
【図面の簡単な説明】
【００４５】
【図１】本発明に基づく方法を示したフローチャートである。
【図２】本発明を実行する端末をあらわした機能的なブロック図である。
【符号の説明】
【００４６】
ＢＡＴ  バッテリー
ＭＡ  警告手段
ＭＣ  読込み手段
ＭＣＯＮＦ  設定手段
ＭＣＰ  比較手段
ＭＩＤ  確認手段
ＭＭＮＣ  測定手段
ＭＶＡ  警告確認手段
【図１】
2005333641.tif 000003
【図２】
2005333641.tif 000004